(57)【要約】【課題】小動物ペットや人体による糞尿排泄物、体液等の水分を吸収すると同時に悪臭を完全に除去し、視覚的に清潔感を呈する吸水具を提供する。【解決手段】吸水体を不透液性のバックシートと透液性の表シートとにより包覆して成る吸水具であって、該吸水体に予め抗菌剤を染み込ませた吸着剤を含有させたことを特徴とする。【選択図】図２
2007037553.tif 000002
【特許請求の範囲】
【請求項１】
吸水体を不透液性のバックシートと透液性の表シートとにより包覆して成る吸水具であって、該吸水体に予め抗菌剤を染み込ませた吸着剤を含有させたことを特徴とする吸水具。
【発明の詳細な説明】
【技術分野】
【０００１】
本発明は、犬、猫、小鳥、ハムスター等の小動物ペット類のトイレ用シーツ、または人体に装用される使い捨ての介護用おむつや幼児・乳児用おむつ、人体に装用される外科用パッドや生理用ナプキン等に使用される吸水具に関するものである。
【背景技術】
【０００２】
従来、この種の吸水具としては、吸水紙を不織布と防水シートとにより挟んで固着したものや、内部に吸水性樹脂を封入したものに対し、糞尿の悪臭除去のための活性炭等を内包させたもの等がある。また、吸水性ポリマーに消臭剤等を含ませたペット用シーツがある。
【特許文献１】なし
【発明の開示】
【発明が解決しようとする課題】
【０００３】
しかしながら従来の吸水具では、活性炭は水分により消臭効果が大幅に低下するため、排尿、排便等の排泄物の処理と同時にこれらによる悪臭を完全に防止することが難しく、また製造工程が複雑で且つ所望の形状に加工することもできない等の問題点を有していた。また、従来の吸水具では水分は吸収するもののほとんど抗菌効果がないため種々の菌類が繁殖し易く、さらに視覚的にも不快感と不潔感を呈するものであった。
【０００４】
そこで本発明は、叙上のような従来存した問題点に鑑み創出されたもので、簡単な製造工程で且つ所望の形状に容易に加工することができ、小動物ペットによる糞尿排泄物、人体の糞尿排泄物や体液等の水分を能率良く吸収させると共に、悪臭を略完全に除去させ、同時に抗菌効果を発揮させることを可能とした吸水具を提供することを目的としたものである。
【課題を解決するための手段】
【０００５】
このため、本発明は、吸水体３を不透液性のバックシート８と透液性の表シート７とにより包覆して成る吸水具１であって、該吸水体３に予め抗菌剤９を染み込ませた吸着剤４を含有させたことで、同じく、上述した課題を解決した。
【０００６】
すなわち、本発明に係る吸水具にあっては、パルプ、ポリマー等の混合体から成る吸水体３と共に含有させた吸着剤４である例えばシリカゲルにより小動物ペットによる糞尿排泄物、人体の糞尿排泄物や体液等の水分を能率良く吸着させると同時に予めシリカゲルに染み込ませたメチレンブルーにより抗菌剤９分子を放出発散させるための吸水具本体１を簡単な製造工程により且つ所望の形状に容易に加工されて形成させる。そして、吸水具本体１に対しメチレンブルーを染み込ませたシリカゲルの青色の粒子が配されるため、従来に比して視覚的に清潔感を与える効果を発揮させる。
【発明の効果】
【０００７】
本発明は以上のように構成されており、従来に比して優れた消臭性と水分吸収性とを有するため、小動物や人体による糞尿排泄物や体液等の水分を能率良く吸収させると共に悪臭をも略完全に除去させることができ、同時にメチレンブルーによる抗菌効果を発揮させることを可能にする吸水具本体１を簡単な製造工程により且つ所望の形状に容易に加工されて形成することができる。また、シリカゲルは白地のシートに対しメチレンブルーを染み込ませた青色の粒子によるため、視覚的に清潔感を呈するものとして成形することができる
【発明を実施するための最良の形態】
【０００８】
以下、図面を参照して本発明の実施の形態を説明するに、図において示される符号１は、例えば犬、猫、ウサギ、小鳥、ハムスター等の小動物であるペット類の飼育ケージ内や排泄用トイレ内さらには家屋内の床面上に敷設されたり、または大人用の使い捨ておむつ、外科用パッド、生理用ナプキン等として人体に装用されたりして、糞尿排泄物や体液等の水分を吸収し、悪臭を防ぐためにシーツ状に形成された吸水具本体である。
【０００９】
該吸水具本体１の製造工程は、図１に示すように、第１工程として例えば澱粉にアクリル酸をグラフト重合させたデンプン−ポリアクリル酸グラフト共重合物、アクリル酸塩を主成分として架橋剤を添加させたデンプン−メタアクリル酸塩グラフト架橋物等の吸水性ポリマーやアクリル酸重合体等の粉末状のポリマーと、吸収した排尿水分を拡散させる働きを有する粉砕パルプまたはセルロース粉末等との混合体による吸水体３を形成する。
【００１０】
第２工程として比表面積の大きな高い吸着能を有する多孔質性の例えばシリカゲル、アクリル樹脂等による吸着剤４に例えば塩基性染料であるメチレンブルー等を予め染み込ませる。
【００１１】
第３工程として前記吸着剤４と前記吸水体３とを包含紙２上に予め混合させてから散布させるかまたは別々に散布させる。
【００１２】
第４工程として前記散布上にティシュペーパー等の吸水紙５を載置し包覆させる。
【００１３】
第５工程として包覆後にエンボスロール等にて熱圧着加工されて一体化させて吸水・吸着部材６を形成する。
【００１４】
第６工程として吸水・吸着部材６を適当な大きさに切断させた後に例えば合成樹脂繊維、レーヨン繊維、ポリエステル繊維、ポリオレフィン繊維、親水性繊維、界面活性剤処理・シリカ処理熱可塑性繊維、綿会見綿等の天然繊維、セルロース繊維、パルプ繊維等の不織布による透液吸水性のある白地の表シート７と、高密度ポリエチレン、エンボスカイバス約１．５ミルを有するポリエチレン、ポリプロピレン等から成る不透液性の白地のバックシート８とにより包覆させてから熱シール（図示せず）等にて固着させて吸水具本体１（図２参照）を形成する。
【００１５】
第７工程として出荷状態にするための折り曲げ工程および袋詰め工程とにより吸水具本体１の梱包製品を構成する。
【００１６】
前記シリカゲル、アクリル樹脂等の吸着剤４に染み込ませた抗菌剤９としての例えば純青色の塩基性染料であるメチレンブルーにより、吸着剤４による糞尿排泄物や体液等の水分を吸着させる働きと同時に水分と接触反応して発生されるメチレンブルーからの抗菌剤分子を周辺に発散放出させるようにしてある。このとき、吸着剤４の形状は破砕粉末状であっても鱗片状であっても球形状であっても良く、例えば粉末状とした場合には、実験データに基づきその粒径は好ましくは約０．３〜１．５ｍｍが最適である。
【００１７】
また、抗菌剤９を染み込ませた吸着剤４は前記吸水体３内に約１２〜１８重量％を含有されることが最適な条件である。この吸着剤４としては、このほか活性炭、珪藻土、ベントナイト、ゼオライト、バーミュキュライト、カオリン、カオリナイト、タルク、等の吸湿性の無機粘土質物質であっても良く、さらに吸水・吸着部材６内部に芳香発散体等を含有させても良い。
【００１８】
この他、前記吸水・吸着部材６の切断される長さと幅員は用途に応じて各種のサイズに設定することができ、例えば折曲自在な円形や矩形のシート状あるいはチップ状に切断加工することができる。
【００１９】
尚、本実施の形態における抗菌剤９の種類と共に、前記包含紙２の材質、吸水体３を形成するポリマーの種類、吸水紙５の材質、表シート７、バックシート８の素材等は本発明を何等限定するものではなく、これら以外の他の材質や材料を使用しても良いことは勿論である。
【００２０】
次に、本発明の使用の一例を説明するに、例えば飼育ケージ内や排泄用トイレ内さらには家屋内の床面上等の犬や猫等のペット動物が排尿や排便を行なう場所に吸水具本体１を敷設したり、または大人用の使い捨ておむつ、外科用パッド、生理用ナプキン等として身体に装用するのである。
【００２１】
この吸水具本体１の上でペット動物が排泄を行なったり、人体装用時に排泄されたりすると、糞尿に含まれる液体成分が吸水体３に吸収され、吸水体３と共に含有させた吸着剤４であるシリカゲルにより糞尿排泄物や体液等の水分を吸着させると同時に、予めシリカゲルに染み込ませてあるメチレンブルーが水分と反応して抗菌剤分子を周囲に放出発散させ抗菌効果を発生させる。このとき、白地の表シート７、バックシート８に対しメチレンブルーを染み込ませたシリカゲルの青い粒子により吸水具本体１の吸着箇所全体が青色に配色されているため、視覚的に清潔感を呈するものとなる。
【図面の簡単な説明】
【００２２】
【図１】本発明の実施の形態を示した吸水具の製造方法の概略を示す説明図である。
【図２】本発明の実施の形態を示した吸水具の一部断面の全体斜視図である。
【符号の説明】
【００２３】
１…吸水具本体          ２…包含紙
３…吸水体              ４…吸着剤
５…吸水紙              ６…吸水・吸着部材
７…表シート            ８…バックシート
９…抗菌剤
【図１】
2007037553.tif 000003
【図２】
2007037553.tif 000004